(57)【要約】      （修正有）【課題】メディアアクセス制御（ＭＡＣ）アーキテクチャにより、スケジューリングエンティティを、いつでも新たな伝送を開始できるようにし、前に不成功であった伝送を任意の時点で再び開始することができるようにする。【解決手段】ＭＡＣアーキテクチャが、関連する優先順位をそれぞれが有し、複数のデータブロックをそれぞれが含む複数のデータフローに関する伝送待ち時間要件およびブロック誤り率要件を決める。ＭＡＣアーキテクチャは、伝送がいつ行われるか、いずれのハイブリッドオートマティックリピートリクエスト（Ｈ−ＡＲＱ）エンティティによって行われるかを決めるスケジューリングエンティティ（５３）を規定する。Ｈ−ＡＲＱエンティティ（５２ａ、５２ｂ）が、それぞれの先行ブロックが成功裡に伝送されたかどうかを判定し、成功裡に伝送されていない場合、伝送が不成功であったデータブロックの再送信を要求する。【選択図】図３
2006074810.tif 000002
【特許請求の範囲】
【請求項１】
無線通信システムにおいてデータを転送するための方法であって、
伝送のためのデータブロックおよびデータブロックが再送信されることを要するかどうかを示す受信確認および否定応答を受信するステップと、
伝送のためのデータブロックをスケジュールするステップであって、前記スケジュールされたデータブロックは再送信されたデータブロックおよび前記受信されたデータブロックを含み、優先順位は、各データブロックに関する必須の伝送待ち時間に基づくステップと、
前記スケジューリングに基づいて前記スケジュールされたデータブロックを基地局から伝送するステップと、
少なくとも１つのユーザ機器によって前記伝送されたデータブロックを受信するステップと、
前記受信された伝送データブロックの再送信が必要とされるかどうかを判定し、前記判定に応答して受信確認および否定応答を伝送するステップとを含むことを特徴とする方法。
【請求項２】
前記データブロックを伝送するステップは、高速ダウンリンク共用チャネルを介することを特徴とする請求項１に記載の方法。
【請求項３】
前記スケジュールするステップは、ブロック誤り率要件にも基づくことを特徴とする請求項１に記載の方法。
【請求項４】
前記スケジュールするステップは、信号対雑音比にも基づくことを特徴とする請求項１に記載の方法。
【請求項５】
前記スケジュールするステップは、基地局のセルの負荷にも基づくことを特徴とする請求項１に記載の方法。
【請求項６】
前記スケジュールするステップは、ユーザ機器がデータブロックを受信する速度にも基づくことを特徴とする請求項１に記載の方法。
【請求項７】
前記必須のデータ待ち時間は、前記データブロックの優先順位クラスによって決まることを特徴とする請求項１に記載の方法。
【請求項８】
より低い優先順位のデータブロックの前記伝送に割り込みをかけてより高い優先順位のデータブロックの伝送を可能にすることをさらに含むことを特徴とする請求項７に記載の方法。
【請求項９】
前記割り込みをかけることが、ＮＤＩを伝送することによって示されることを特徴とする請求項８に記載の方法。
【請求項１０】
前記スケジュールするステップは、入力情報を利用して最大限のパフォーマンスを実現するように伝送の最良の組合せを決めることを特徴とする請求項１に記載の方法。
【請求項１１】
前記スケジュールするステップに先立ってそれぞれの受信されたデータブロックに伝送シーケンス番号（ＴＳＮ）を割り当てることをさらに含むことを特徴とする請求項１に記載の方法。
【発明の詳細な説明】
【技術分野】
【０００１】
本発明は、ハイブリッドオートマティックリピートリクエスト（Ｈｙｂｒｉｄ  Ａｕｔｏｍａｔｉｃ  Ｒｅｐｅａｔ  Ｒｅｑｕｅｓｔ）（Ｈ−ＡＲＱ）技術が適用される無線通信システムにおけるＭＡＣアーキテクチャに関する。
【背景技術】
【０００２】
ＵＭＴＳ地上無線アクセス網（ＵＴＲＡＮ）ＭＡＣ−ｈｓレイヤアーキテクチャのブロック図を図１に示しており、ユーザ機器（ＵＥ）ＭＡＣｈｓアーキテクチャのブロック図を図２に示している。図１に示したＵＴＲＡＮ  ＭＡＣ−ｈｓ３０は、トランスポートフォーマットコンビネーション（Ｔｒａｎｓｐｏｒｔ  Ｆｏｒｍａｔ  Ｃｏｍｂｉｎａｔｉｏｎ）（ＴＦＣ）選択エンティティ３１、スケジューリングデバイス３２、複数のＨ−ＡＲＱプロセッサ３３ａ、３３ｂ、およびフローコントローラ３４を含む。
【０００３】
ＵＥ  ＭＡＣ−ｈｃ４０は、Ｈ−ＡＲＱプロセッサ４１を含む。以下にさらに詳細に説明するとおり、図１と２をともに参照すると、ＵＴＲＡＮ  ＭＡＣ−ｈｓ３０内部のＨ−ＡＲＱプロセッサ３３ａ、３３ｂとＵＥ  ＭＡＣ−ｈｓ４０内部のＨ−ＡＲＱプロセッサ４１が協働してデータブロックを処理する。
【０００４】
ＵＴＲＡＮ  ＭＡＣ−ｈｓ３０内部のＨ−ＡＲＱプロセッサ３３ａ、３３ｂは、Ｈ−ＡＲＱが伝送を生成し、誤りの生じたあらゆる伝送に関して再送信を生成するのに必要とされるタスクのすべてを扱う。ＵＥ  ＭＡＣ−ｈｓ４０内部のＨ−ＡＲＱプロセッサ４１は、伝送の成功を示す受信確認（ＡＣＫ）を生成し、障害の生じた伝送のケースにおいて否定応答（ＮＡＣＫ）を生成することを担う。Ｈ−ＡＲＱプロセッサ３３ａ、３３ｂ、および４１は、各ユーザデータフローに関する順次データストリームを処理する。各ユーザデータフロー上で受信されたデータブロックは、Ｈ−ＡＲＱプロセッサ３３ａ、３３ｂに順次に割り当てられる。各Ｈ−ＡＲＱプロセッサ３３ａ、３３ｂが伝送を開始し、誤りが生じた場合、Ｈ−ＡＲＱプロセッサ４１が再送信を要求する。次の伝送で、伝送の成功を確実にするために変調および符号化の速度が変更されることが可能である。ＵＥ  ＭＡＣ−ｈｓ４０内部のＨ−ＡＲＱプロセッサ４１は、最初の伝送からのソフト情報とあらゆる後続の再送信からのソフト情報を結合することができる。ＵＥに対する再送信されるべきデータ、およびあらゆる新たな伝送は、スケジューリングデバイス３２に転送される。
【０００５】
Ｈ−ＡＲＱプロセッサ３３ａ、３３ｂとＴＦＣセレクタ３１の間に結合されたスケジューリングデバイス３２が、無線リソースマネージャとして機能し、要求されるＱｏＳをサポートするために伝送待ち時間を決める。Ｈ−ＡＲＱプロセッサ３３ａ、３３ｂの出力、および伝送されている新しいデータの優先順位に基づき、スケジューリングデバイス３２は、データをＴＦＣ選択エンティティ３１に転送する。
【０００６】
スケジューリングデバイス３２に結合されたＴＦＣ選択エンティティ３１は、伝送されるべきデータを受け取り、データが伝送される適切な動的トランスポートフォーマットを選択する。Ｈ−ＡＲＱの伝送および再送信に関して、ＴＦＣ選択エンティティ３１は、変調および符号化を決める。
【０００７】
データストリームは順次に処理され、伝送の成功が達せられるまで、または伝送が失敗し、データが廃棄されるまで各データブロックが処理される。Ｈ−ＡＲＱプロセスによって知らせが行われた再送信は、伝送されるべきあらゆる新しいデータに優先する。各Ｈ−ＡＲＱプロセッサ３３ａ、３３ｂは、データブロック伝送が成功または失敗と判定されるまで、伝送または再送信を実行する。このスキームを使用して、より高い優先順位のデータ伝送が遅延させられる一方で、より低い優先順位のデータ再送信が、成功または失敗と判定されるまで処理されることが可能である。
【０００８】
ＵＥ接続は、いくつかの独立したトラフィック制御通知チャネル（ｔｒａｆｆｉｃ  ｃｏｎｔｒｏｌ  ｓｉｇｎａｌｉｎｇ  ｃｈａｎｎｅｌ）のサポートを必要とする。これらのチャネルのそれぞれは、保証され、かつ／または許容できる伝送待ち時間レベルを含むＱｏＳ要件を有する。Ｈ−ＡＲＱ処理は、スケジューリングに先立って考慮に入れられるので、より高い優先順位のデータがより低い優先順位のデータの再送信に取って代わることはできない。したがって、より高い優先順位のデータの伝送に関する伝送待ち時間ＱｏＳ要件は、低い優先順位のデータの伝送がＨ−ＡＲＱプロセッサ３３ａ、３３ｂに前に割り当て済みである場合、満たすことができない可能性がある。
【０００９】
再送信は、Ｈ−ＡＲＱプロセスにおける前の伝送と結合されるので、最初の伝送が十分に破損している場合、後続の再送信により伝送の成功は達せられない。その場合、伝送は、スケジューリングエンティティ３２からの新たな伝送として再び開始することはできないので、データが廃棄される。
【発明の開示】
【発明が解決しようとする課題】
【００１０】
したがって、より高い優先順位の伝送がより低い優先順位の伝送に取って代わることを可能にし、任意の時点で伝送を再び開始する能力を可能にするＵＴＲＡＮとＵＥの両方における改良されたＭＡＣ−ｈｓアーキテクチャの必要性が存在する。
【課題を解決するための手段】
【００１１】
関連する優先順位をそれぞれが有し、複数のデータブロックをそれぞれが含む複数のデータフローに関する伝送待ち時間要件およびブロック誤り率要件を決めるメディアアクセス制御（ＭＡＣ）アーキテクチャ。ＭＡＣアーキテクチャは、伝送がいつ行われるか、いずれのハイブリッドオートマティックリピートリクエスト（Ｈ−ＡＲＱ）エンティティによって行われるかを決めるスケジューリングエンティティを規定する。Ｈ−ＡＲＱエンティティが、それぞれの先行ブロックが成功裡に伝送されたかどうかを判定し、成功裡に伝送されていない場合、伝送が不成功であったデータブロックの再送信を要求する。データブロックのスケジューリングは、前に伝送されたデータブロックが再送信を要するか否かを考慮に入れる。ＭＡＣアーキテクチャにより、スケジューリングエンティティが、いつでも新たな伝送を開始できるようになり、前に不成功であった伝送を任意の時点で再び開始することができるようになる。
【発明を実施するための最良の形態】
【００１２】
好ましい実施形態を図面を参照して説明する。すべての図面で同様の符号は、同様の要素を表わしている。
【００１３】
図３は、本発明の好ましい実施形態による、好ましくは、ノードＢに配置されたＵＴＲＡＮ  ＭＡＣ−ｈｓ５０のブロック図である。ＵＴＲＡＮ  ＭＡＣ−ｈｓ５０は、ＴＦＣセレクタ５１、複数のＨ−ＡＲＱエンティティ５２ａ、５２ｂ、スケジューリング−優先順位付けエンティティ５３、優先順位クラス−ＴＳＮ設定エンティティ５４、およびフローコントローラ５５を含む。以下に詳細に説明するとおり、ＵＴＲＡＮ  ＭＡＣ−ｈｓ５０のコンポーネントは、ＵＴＲＡＮ  ＭＡＣ−ｈｓ５０（図３に示す）内部およびＵＥ  ＭＡＣ−ｈｓ６０（図４に示す）内部で、伝送待ち時間要件を満たすより高い能力のため、および伝送の誤りを減少させるように任意の時点で伝送を再び開始する能力のために適切なスケジューリング優先順位付けを実装する革新的な形で一緒に結合される。
【００１４】
以上に説明した従来技術のフローコントローラ３４と同様に、図３に示し、ＲＮＣ（図示せず）のＭＡＣ−ｃ／ｓｈ、および優先順位クラス−ＴＳＮ設定エンティティ５４に結合された本発明のフローコントローラ５５により、無線インターフェースの伝送能力を動的な形で考慮に入れて、ノードＢとＲＮＣの間における制御されたデータフローが提供される。図３では別々のコンポーネントとして示しているが、スケジューリング−優先順位付け処理エンティティ５３（以降、「スケジューリングエンティティ５３」）と優先順位クラス−ＴＳＮ設定エンティティ５４（以降、「ＴＳＮ設定エンティティ５４」）の機能は、単一のエンティティに結合することができる。
【００１５】
ＴＳＮ設定エンティティ５４は、フローコントローラ５５とスケジューリングエンティティ５３の間に結合される。本発明のＴＳＮ設定エンティティ５４は、各優先順位クラスに関して、サービスを受けているそれぞれの新しいデータブロックに関するキュー（ｑｕｅｕｅ）識別子およびＴＳＮを設定して、より高位のレイヤにデータブロックを送る際の順序を確実にする。ＴＳＮは、高速ダウンリンク共用チャネル（ＨＳ−ＤＳＣＨ）内の各優先順位クラスおよび各キューＩＤに固有であり、それぞれの新しいデータブロックに関して増分される。キュー識別子およびＴＳＮが新しいデータブロックに関して設定されると、データブロックは、スケジューリングエンティティ５３に転送される。
【００１６】
スケジューリングエンティティ５３が、ＴＳＮ設定エンティティ５４から受け取られたデータを処理する。スケジューリングエンティティ５３は、セルに関する無線リソースマネージャとして機能するとともに、ＵＴＲＡＮ  ＭＡＣ−ｈｓ５０によるサービスを受けるユーザのためにＱｏＳ要件を維持する。伝送されるべきデータブロックに関するＴＳＮおよび優先順位クラス識別子が、スケジューリングエンティティ５３に転送される。
【００１７】
本発明によれば、スケジューリングエンティティ５３は、データフローＱｏＳ待ち時間要件に従った伝送の適切な優先順位付けを確実にし、ＱｏＳブロック誤り率（ＢＬＥＲ）要件を満たすより高い能力を可能にする失敗したＨ−ＡＲＱ伝送の再開（ｒｅｉｎｉｔｉａｔｉｏｎ）を可能にする。スケジューリングエンティティ５３の以上の能力は、図１の従来技術のシステムにおけるようにスケジューリング機能にＨ−ＡＲＱ処理が先行する場合、不可能である。スケジューリングエンティティ５３は、伝送待ち時間に関するＱｏＳ要件、およびトランスポートチャネルＢＬＥＲ要件に従ってＨ−ＡＲＱエンティティ５２ａ、５２ｂとデータフローの間でＨＳ−ＤＳＣＨ物理リソースを管理する。ＱｏＳパラメータの他、スケジューリングエンティティ５３によって使用されるスケジューリングアルゴリズムは、例えば、信号対雑音比（ＳＩＲ）、利用可能および率、ＵＥの速度、セルの現在の負荷、および当分野の技術者に周知のその他の要因などの様々な無線制御リソースパラメータに従って動作することも可能である。スケジューリングエンティティ５３は、データ（特定のＵＥに関連する）、および伝送のサービスを提供するＨ−ＡＲＱエンティティ５２ａ、５２ｂを特定する。
【００１８】
Ｈ−ＡＲＱ５２ａ、５２ｂに割り当てられる伝送は、新たな伝送であるか、または前に成功裡に伝送されなかったデータの再送信である。ＵＥ  Ｈ−ＡＲＱエンティティ６１（図４に示す）とＵＴＲＡＮ  Ｈ−ＡＲＱエンティティ５２ａ、５２ｂ（図３に示す）の間で通信される前の伝送からのステータス報告書が、スケジューリングエンティティ５３に中継され、新たな伝送が行われるか、または再送信が行われるかが決定される。本発明によって定義されるＵＴＲＡＮ  ＭＡＣ−ｈｓ５０アーキテクチャにより、スケジューリングエンティティ５３は、新たな伝送がＨ−ＡＲＱエンティティ５２ａ、５２ｂ上で開始されることを許すか否かを任意の時点で決定することができるようになる。新たな伝送は、ＱｏＳ伝送待ち時間要件を満たすためにより低い優先順位の伝送に取って代わる必要があるより高い優先順位の伝送であること、またはＱｏＳトランスポートチャネルＢＬＥＲ要件を満たすために前に失敗した伝送または割り込みがかけられた伝送を再び開始することであることが可能である。
【００１９】
スケジューリングエンティティ５３内部のアルゴリズムが、優先順位クラスに従ってデータ伝送をスケジュールする。本発明のＵＴＲＡＮ  ＭＡＣ−ｈｓ５０は、より高い優先順位の伝送のためにより低い優先順位の伝送に割り込みが行われることを可能にし、前に失敗した伝送または割り込みがかけられた伝送を任意の時点で再び開始する能力を提供する。
【００２０】
スケジューリングエンティティ５３は、無線リソーススケジューリング情報をＨ−ＡＲＱエンティティ５２ａ、５２ｂに転送する。スケジューリングエンティティ５３は、特定のＨ−ＡＲＱエンティティ５２ａ、５２ｂによる新たな伝送か、または前に不成功であった伝送の再送信を開始するようにＨ−ＡＲＱエンティティ５２ａ、５２ｂに指示する。データは、次に、伝送のためにＴＦＣセレクタ５１に転送される。Ｈ−ＡＲＱプロセッサ５２ａ、５２ｂに結合されたＴＦＣセレクタ５１は、その伝送を受け取り、そのデータがＵＥに伝送されるのに適切な動的トランスポートフォーマットパラメータを選択する。図３では別々のコンポーネントとして示しているが、Ｈ−ＡＲＱエンティティ５２ａ、５２ｂ、およびＴＦＣセレクタ５１の機能は、単一のエンティティに結合することができる。
【００２１】
本発明の好ましい実施形態によるＵＥに関するＵＥ  ＭＡＣ−ｈｓレイヤ６０のブロック図を図４に示している。ＵＥ  ＭＡＣ−ｈｓ６０は、複数の並べ替えデバイス６２ａ、６２ｂ、およびＨ−ＡＲＱエンティティ６１を含む。ＵＴＲＡＮに関して前述したＨ−ＡＲＱプロセッサ４１と同様に、ＵＥ  Ｈ−ＡＲＱエンティティ６１は、Ｈ−ＡＲＱプロトコルを実装するためのすべてのプロセスを扱うことを担う。ＵＥ内部で、受信側Ｈ−ＡＲＱエンティティ６１が、最初の伝送からのソフト情報と後続の再送信を結合する。
【００２２】
Ｈ−ＡＲＱプロトコルレイヤ内で、個々の伝送優先順位クラス、および必要とされる送信シーケンス（ＴＳＮ）は不明である。したがって、受信の成功、伝送は、並べ替えデバイス６２ａ、６２ｂによって伝送のＴＳＮに従って並べ替えられる。並べ替えデバイス６２ａ、６２ｂは、シーケンス通りの受信の後、より高位のレイヤ内で伝送を処理するために即時に転送を行う。
【００２３】
本発明の好ましい実施形態によるＭＡＣ−ｈｓプロセスは、より高い優先順位の伝送がより低い優先順位の伝送の処理によって遅延させられないことを確実にする。さらに、伝送は、任意の時点で再び開始することができ、ＭＡＣ−ｈｓプロセス内における伝送障害率が低減される。これにより、利用可能な入力情報を利用して、システムの最大パフォーマンス、無線ネットワークの最大限の使用を実現する伝送の最良の組合せを決定し、伝送待ち時間およびＢＬＥＲに関するＱｏＳ要件を保つ能力がスケジューリングエンティティ５３に与えられる。
【００２４】
本発明の要素またはプロセスを別々のハードウェアコンポーネントとして、例えば、スケジューリングエンティティ５３およびＴＳＮ設定エンティティ５４として説明してきたが、これらの要素は、１つまたは複数のソフトウェアルーチンまたはソフトウェアモジュールとして実装される可能性が高い。各プロセス間の情報の全体的な流れおよび順序が重要なのであり、プロセスが、別々に実装されるか、一緒に実装されるか、またはハードウェアで実装されるか、ソフトウェアで実装されるかが重要なのではないことを理解されたい。
【００２５】
図５を参照すると、伝送待ち時間要件を満たすためにより高い優先順位のデータがより低い優先順位のデータの伝送に割り込みをかけることを可能にするための方法１００が示されている。方法１００は、送信機１０２（ＵＴＲＡＮにおけるような）と受信機１０４（ＵＥにおけるような）の間の通信に関する。方法１００は、ＵＴＲＡＮ内部のＨ−ＡＲＱエンティティ５２ａ、５２ｂの１つとＵＥ内部の対応するＨ−ＡＲＱエンティティ６１の間におけるような、特定のＨ−ＡＲＱプロセスに関する通信を想定している。
【００２６】
方法１００は、新たなＨ−ＡＲＱプロセスの確立のための新規データインジケータ（ＮＤＩ）の設定で開始される（ステップ１０３）。より低い優先順位のデータが、送信機１０２において処理される（ステップ１０６）。前述したとおり、受信機１０４において、品質検査が行われ、伝送が成功であった（すなわち、誤りなしに受信された）場合、受信確認（ＡＣＫ）が生成され、あるいは伝送が成功でなかった場合、否定応答（ＮＡＣＫ）が生成される（ステップ１０８）。ＡＣＫまたはＮＡＣＫは、送信機１０２に送信される。受信機１０４において伝送が成功裡に受信されるまで、またはＱｏＳ伝送待ち時間要件を満たすようにスケジュールされる必要があるより高い優先順位のデータがスケジューリングエンティティに到着する（ステップ１１０）までステップ１０６および１０８が繰り返される。
【００２７】
伝送待ち時間要件を満たすようにより高い優先順位のデータが伝送のためにスケジュールされる必要がある場合（ステップ１１０）、より低い優先順位のデータの伝送に割り込みがかけられることが可能である（ステップ１１２）。次に、より高い優先順位のデータの伝送のＨ−ＡＲＱプロセスが開始される（ステップ１１４）。前のデータ伝送に対して行われる割り込みは、ＮＤＩの設定によって受信機１０４に明らかにされる。受信機１０４において、品質検査が行われ、伝送が成功であった場合、受信確認（ＡＣＫ）が生成され、あるいは伝送が成功でなかった場合、否定応答（ＮＡＣＫ）が生成される（ステップ１１６）。次に、ＡＣＫまたはＮＡＣＫが、送信機１０２に送信される。より高い優先順位のデータの伝送が受信機１０４において成功裡に受信されるまで、ステップ１１４および１１６が繰り返される。
【００２８】
より高い優先順位のデータの伝送が確認されると、より低い優先順位のデータの伝送を再び開始することができる（ステップ１１８）。伝送は、品質検査により、受信機１０４によってＡＣＫが生成されることがもたらされる（ステップ１２０）まで繰り返される。前述したＨ−ＡＲＱプロセスの場合と同様に、受信機１０４によって生成されたＮＡＣＫに応答して、より低い優先順位のデータが送信機１０２によって再送信される必要がある可能性がある。
【００２９】
図５の方法１００は、伝送されるべきデータに関する所望の待ち時間要件を満たすＨ−ＡＲＱプロセスのスケジューリングの例である。本発明による提案のＵＴＲＡＮ  ＭＡＣアーキテクチャ５０で、伝送待ち時間要件を満たす方法１００、および送信機１０２と受信機１０４の間における他の動作シーケンスも可能である。
【００３０】
図６を参照すると、ブロック誤り率（ＢＬＥＲ）要件を満たすように失敗した伝送を再び開始することを可能にするための方法２００が示されている。方法２００は、送信機２０１（ＵＴＲＡＮにおけるような）と受信機２０３（ＵＥにおけるような）の間の通信に関する。方法２００は、ＵＴＲＡＮ内部のＨ−ＡＲＱエンティティ５２ａ、５２ｂの１つとＵＥ内部の対応するＨ−ＡＲＱエンティティ６１の間におけるような、ＵＥに関連する任意の１組のＨ−ＡＲＱプロセスに関する通信を想定している。
【００３１】
方法２００は、送信機２０１における伝送のためのデータの処理で開始される（ステップ２０２）。データに関するＨ−ＡＲＱ処理が行われ、これにより、受信機２０３において品質検査が行われて（ステップ２０４）、ＡＣＫまたはＮＡＣＫが送信機２０１に送信される。受信機２０３においてデータ伝送が成功裡に受信されるまで、または再送信限度または別の障害基準に達するまで（ステップ２０６）、ステップ２０２および２０４が繰り返される。
【００３２】
障害基準に達した場合（ステップ２０６）、ＵＴＲＡＮ  ＭＡＣアーキテクチャ５０が、Ｈ−ＡＲＱプロセス上の失敗した伝送を再び開始することを可能にする（ステップ２１２および２１４）。再び開始することは、他の保留中の伝送をスケジュールした後に行われること（ステップ２０８、２１０）、または直ちに行われることが可能である（ステップ２１２、２１４）。したがって、１つまたは複数の「その他の」伝送の伝送または失敗の後に続くことが可能である。それらの他の伝送が、送信機２０１によってスケジュールされ（ステップ２０８）、伝送されることが可能であり、受信機２０３によって品質検査が行われ、ＡＣＫまたはＮＡＣＫが適宜、生成されて伝送される（ステップ２１０）。
【００３３】
その他の伝送が成功裡に送信された後、または障害基準に達した後（ステップ２０８〜２１０）、前に失敗した伝送が、Ｈ−ＡＲＱプロセス上の伝送のためにスケジュールされることが可能である（ステップ２１２）。前のデータ伝送が再び開始されることが、ＮＤＩの設定によって受信機２０３に明らかにされる。データの再送信が送信され、ＡＣＫまたはＮＡＣＫが適宜、生成される（ステップ２１４）。受信機２０３において伝送が成功裡に受信されるまで、または再送信限度または他の障害基準に達するまで（ステップ２０６）、ステップ２１２および２１４が繰り返される。前に失敗した伝送を再び開始することは、ＢＬＥＲ要件を満たすために任意の特定の伝送に数回、適用することができる。
【００３４】
本発明を好ましい実施形態に関して説明してきたが、頭記の特許請求の範囲に概要を述べる本発明の範囲に含まれる様々な変形形態が、当分野の技術者には明白であろう。
【図面の簡単な説明】
【００３５】
【図１】従来技術のＵＴＲＡＮ  ＭＡＣ−ｈｓを示す図である。
【図２】従来技術のＵＥ  ＭＡＣ−ｈｓを示す図である。
【図３】本発明の好ましい実施形態によるＵＴＲＡＮ  ＭＡＣ−ｈｓを示すブロック図である。
【図４】本発明の好ましい実施形態によるＵＥ  ＭＡＣ−ｈｓを示すブロック図である。
【図５】より高い優先順位の伝送がより低い優先順位の伝送に割り込みをかけて伝送セブンゼロ待ち時間要件（ｔｒａｎｓｍｉｓｓｉｏｎ  ｓｅｖｅｎ  ｚｅｒｏ  ｌａｔｅｎｃｙ  ｒｅｑｕｉｒｅｍｅｎｔｓ）を満たすことを可能にするための手続きを示す流れ図である。
【図６】失敗した伝送を再び開始してブロック誤り率要件を満たすようにする手続きを示す流れ図である。
【図１】
2006074810.tif 000003
【図２】
2006074810.tif 000004
【図３】
2006074810.tif 000005
【図４】
2006074810.tif 000006
【図５】
2006074810.tif 000007
【図６】
2006074810.tif 000008